(57)【要約】【課題】子供の知育効果を図った知育玩具において、より身近で子供が興味を持ちやすい車のカムシャフト機構を採用したからくり機構部を組合せたカム遊び知育玩具を提供する。【解決手段】カム遊び知育玩具１は、筐体部２と、筐体部２内に横架された略棒形状の部材であるカムシャフト３と、カムシャフト３を回転させるためのハンドル４と、カムシャフト３を回転可能に保持するための軸ホルダ部５と、カムシャフト３に螺合又は貫通する穴部を有してカムシャフト３に締結される様々な形状のカム部材６と、カムシャフト３の回転運動に連動するからくり機構部７と、を備え、カムシャフト３の外周面には、カム部材６の穴部の内表面に形成された雌ネジと螺合するための雄ネジ３ａが形成されている。この構成により、より身近で子供が興味を持ちやすい車のカムシャフト機構を採用したからくり機構部７を組合せたカム遊び知育玩具１となる。【選択図】図１
2020065573.tif 000002
【特許請求の範囲】
【請求項１】
子供の知育効果を図った知育玩具に、からくりに用いられるからくり機構部を組合せたカム遊び知育玩具であって、
前面及び後面が開口された箱体である筐体部と、
前記筐体部の左右側面板に形成された穴部に横架された略棒形状の部材であるカムシャフトと、
前記カムシャフトの一端側に、前記穴部を通して連結され、当該カムシャフトを回転させるためのハンドルと、
前記カムシャフトの他端側に、前記穴部を介して連結され、前記カムシャフトを回転可能に保持するための軸ホルダ部と、
前記カムシャフトに螺合又は貫通する穴部を有して前記カムシャフトに締結される様々な形状のカム部材と、
前記カムシャフトの回転運動に連動するからくり機構部と、を備え、
前記カムシャフトの外周面には、前記カム部材の穴部の内表面に形成された雌ネジと螺合するための雄ネジが形成されている、ことを特徴とするカム遊び知育玩具。
【請求項２】
前記筐体部の天面には、複数の穴部が形成され、
前記からくり機構部は、
前記カム部材の外周面が当接するときに回転、上下動、又は上下動しながら回転するように水平状に設けられた円盤状のカム受けと、
前記カム受けの上面の回転中心に取り付けられて、当該穴部を貫通して上側に延びる柱状の上下軸と、
前記上下軸の上端側に一体接続される多様な形状の軸部と、を備え、
前記軸部の上面には、ペグ棒を着脱可能に挿し込むための円形の穴部が形成されている、ことを特徴とする請求項１に記載のカム遊び知育玩具。
【請求項３】
前記カム遊び知育玩具は、木製であり、
前記筐体部の一側面には、半透明な半透視面が設けられ、
前記ペグ棒の上端は、様々な種類の魚、愛らしい様々な動物の顔を模した人形ブロックが着脱可能に取り付けれられる、ことを特徴とする請求項２に記載のカム遊び知育玩具。
【請求項４】
前記カム遊び知育玩具は、さらに、
上面視での中央部に向けて、その側方から前記上下軸を通すためのＵ字溝が形成された略四角板形状の部材であるユニットベースを備え、
当該ユニットベースには複数の貫通孔が設けられ、
前記筐体部の天板の穴部の周囲には、前記ユニットベースに設けられた貫通孔と嵌合する凸部が形成されている、ことを特徴とする請求項２に記載のカム遊び知育玩具。
【請求項５】
前記ベースユニットは、さらに、その上面に垂直状に設けられたストッパが形成された突起付きユニットベースであり、
前記軸部は、略六角柱形状を有し、その側面において、前記ストッパが嵌合されることで昇降だけする際に用いる第一空間、及び前記ストッパが所定空間を有して配置されることで昇降及び回転する際に用いる第二空間が形成された昇降回転軸である、ことを特徴とする請求項４記載のカム遊び知育玩具。
【請求項６】
前記ベースユニットは、その上面に支点となる柱部、及び当該支点に固定されて当該支点を中心に揺動するアーム部材が設けられた揺動ユニットベースであり、
前記軸部は、略円柱形状を有しており、前記上下軸が上下に動作する際に、前記アーム部材を下方から突き上げるための突き上げ軸である、ことを特徴とする請求項４記載のカム遊び知育玩具。
【請求項７】
前記軸部は、前記上下軸の上側に直接接続された略六角柱形状を有した簡易軸である、ことを特徴とする請求項４記載のカム遊び知育玩具。
【請求項８】
前記カム部材は、外周に円弧形状の円弧外周面、又は突起形状の外周突起部を備え、当該円弧外周面は前記カム受けに当接した状態で前記カム受けを回転又は上下動しながら回転させ、当該外周突起部は、前記カム受けに当接すると前記カム受けを上下動又は回転しながら上下動させる、ことを特徴とする請求項１乃至７のいずれか一項に記載のカム遊び知育玩具。
【請求項９】
前記カム受けは、前記カム部材の円弧外周面がカム受けの回転中心の下側で当接するときにゆっくりとした上下動をし、前記カム部材の円弧外周面が前記カム受けの回転中心の下側以外で当接するときにゆっくりと上下動しながら回転し、
前記カム部材の外周突起部が前記カム受けの回転中心の下側で当接するときに細かく上下動をし、前記カム部材の外周突起部が前記カム受けの回転中心の下側以外で当接するときには回転しながら上下動する、ことを特徴とする請求項１乃至７のいずれか一項に記載のカム遊び知育玩具。
【請求項１０】
前記筐体部の前記ハンドル側の側面には、さらに、前記カムシャフトの回転の減速時に使用される複数の雌ネジ部が形成され、
前記カム遊び知育玩具は、さらに、
丸ベルトを巻回するためにその回転方向に沿って形成された複数の丸ベルト用溝部を有する略円柱形状の出力プーリと、
丸ベルトを巻回するために回転方向に沿って形成された複数の回転径の異なる丸ベルト用溝部を有する中間プーリと、
丸ベルトを巻回するためにその回転方向に沿って形成された複数の回転径の異なる丸ベルト用溝部を有するプーリーとハンドルとが一体形成されたプーリ付きハンドルとを備え、
前記カムシャフトの一端側には、前記穴部を通して、前記出力プーリが接続され、
前記雌ネジ部には、軸受けとなる棒状の支持体を貫通させることで、前記中間プーリ又は前記プーリ付きハンドルが回動可能に軸支される、ことを特徴とする請求項１乃至９のいずれか一項に記載のカム遊び知育玩具。
【請求項１１】
減速時には、前記出力プーリの丸ベルト用溝部の回転径は、前記プーリ付きハンドルの丸ベルト用溝部の回転径より大きくなるように丸ベルトが巻回される、ことを特徴とする請求項１０に記載のカム遊び知育玩具。
【請求項１２】
減速時には、前記中間プーリの丸ベルト用溝部の回転径は、前記プーリ付きハンドルの丸ベルト用溝部の回転径より大きくなるよう丸ベルトが巻回され、且つ前記出力プーリの丸ベルト用溝部の回転径は、前記中間プーリの丸ベルト用溝部の回転径より大きくなるように丸ベルトが巻回される、ことを特徴とする請求項１０に記載のカム遊び知育玩具。
【請求項１３】
前記カム遊び知育玩具は、さらに、回転中心に雌ネジの穴部が形成された六角ナットを備え、
前記カム部材は、その穴部の内表面に雌ネジが形成され、前記カムシャフトの雄ネジに螺合されると共に、前記六角ナットと合わせて締め込むことで、前記カムシャフトの自由な位置に締結可能となる、ことを特徴とする請求項１乃至１２のいずれか一項に記載のカム遊び知育玩具。
【請求項１４】
前記カム部材は、上面視で中央部に形成された穴部の内表面に雌ネジを切らないで前記カムシャフトにそのまま挿通されると共に、前記六角ナットを両側から締め込むことで、前記カムシャフトの自由な位置に締結される、ことを特徴とする請求項１３に記載のカム遊び知育玩具。
【発明の詳細な説明】
【技術分野】
【０００１】
本発明は、子供の知育効果を図った知育玩具に、より身近で子供が興味を持ちやすいからくり機構部を組合せたカム遊び知育玩具に関する。
【背景技術】
【０００２】
従来より、各種の歯車、カムや糸などの仕掛けを組合せたからくり機構部を備え、ハンドルやモータなどの駆動力を利用して様々なユニークな動作を実現したからくり装置が知られている。例えば、茶運び人形はその典型例であり、駆動源の駆動力を仕掛け部品に伝えることでユニークな茶運び動作を実現する。また、例えば、からくり時計に使用されるからくり人形は、所定時になると、隠蔽された箇所から登場し、その際にオルゴール音が流れたり、照明によりライトアップされるものもある。
【０００３】
このようなからくり装置の一例としては、例えば、腕部の複合的な腕振り動作と上体の多方向への傾斜運動とにより、実際の人間による演技動作に近いからくり動作が可能なからくり人形が開示されている（例えば、特許文献１参照）。
【０００４】
ところで、赤ちゃんや児童などの知育効果を図った様々な「知育玩具」とよばれる玩具が広く普及している。この知育玩具とは、幼児や児童の知能的発達を促進する玩具、又は幼児や児童の学習の助けになる玩具の総称である。学校教育に用いられるいわゆる教材が知識を増やすために用いられるのに対し、この知育玩具は、考える事や表現する事を通じて、知能全般の発達を促す事を目的としている。
【０００５】
ここで、「知育玩具」として主なものを幾つか記載する。例えば「プラステン」は穴の開いたリングを台にある棒に入れてゆくおもちゃであり、赤ちゃんが棒にリングを挿したり、抜いたりして遊べるようになっている。「ペグ挿し」は赤ちゃんが棒状のペグ棒を板状のボードへ挿し込んで遊ぶおもちゃであり、両手の器用さを養うことができると共に、色別や長さ別にペグ棒を指して遊ぶなど、使い方次第では脳を刺激する高度な遊びをすることが可能となる。また、「ネジまわしブロック」はボルトとナットのおもちゃであり、赤ちゃんの手先の器用さや集中力を養うことができる。ねじ構造の理解などの効果が得られる（例えば、非特許文献１参照）。
【先行技術文献】
【特許文献】
【０００６】
【特許文献１】特許第2915818号公報
【非特許文献】
【０００７】
【非特許文献１】梅中伸介著「３歳までにやっておきたい育児法ベスト３０」マルコ社，pp. 52-53, 2015年
【発明の概要】
【発明が解決しようとする課題】
【０００８】
しかしながら、従来のからくりおもちゃは、複雑な構造を有すると考えられているために、特に子供の知育玩具に応用されることはほとんどない。すなわち、従来のからくり玩具は、基本的にハンドルなどを子供が自ら回して動きを楽しむものであり、動きやからくりの機構を外から見ることはできても、組み替えや動きのアレンジ等を経験できないという問題がある。
【０００９】
その結果、従来のからくりおもちゃは、より身近で子供が興味を持ちやすいからくり機構部を取り入れて、子供の更なる知能的発達を図った知育要素が含まれていない観賞用のものがほとんどである。
【００１０】
本発明は、上記課題に鑑みてなされたものであり、子供の知育効果を図った知育玩具において、より身近で子供が興味を持ちやすい車のカムシャフト機構を採用したからくり機構部を組合せたカム遊び知育玩具を提供することを目的とする。
【課題を解決するための手段】
【００１１】
上記課題を解決するため、本発明は、子供の知育効果を図った知育玩具に、からくりに用いられるからくり機構部を組合せたカム遊び知育玩具であって、前面及び後面が開口された箱体である筐体部と、前記筐体部の左右側面板に形成された穴部に横架された略棒形状の部材であるカムシャフトと、前記カムシャフトの一端側に、前記穴部を通して連結され、当該カムシャフトを回転させるためのハンドルと、前記カムシャフトの他端側に、前記穴部を介して連結され、前記カムシャフトを回転可能に保持するための軸ホルダ部と、前記カムシャフトに螺合又は貫通する穴部を有して前記カムシャフトに締結される様々な形状のカム部材と、前記カムシャフトの回転運動に連動するからくり機構部と、を備え、前記カムシャフトの外周面には、前記カム部材の穴部の内表面に形成された雌ネジと螺合するための雄ネジが形成されていることを特徴とするカム遊び知育玩具である。
【００１２】
このカム遊び知育玩具において、前記筐体部の天面には、複数の穴部が形成され、前記からくり機構部は、前記カム部材の外周面が当接するときに回転、上下動、又は上下動しながら回転するように水平状に設けられた円盤状のカム受けと、前記カム受けの上面の回転中心に取り付けられて、当該穴部を貫通して上側に延びる柱状の上下軸と、前記上下軸の上端側に一体接続される多様な形状の軸部と、を備え、前記軸部の上面には、ペグ棒を着脱可能に挿し込むための円形の穴部が形成されていることが好ましい。
【００１３】
このカム遊び知育玩具において、前記カム遊び知育玩具は、木製であり、前記筐体部の一側面には、半透明な半透視面が設けられ、前記ペグ棒の上端は、様々な種類の魚、愛らしい様々な動物の顔を模した人形ブロックが着脱可能に取り付けれられることが好ましい。
【００１４】
このカム遊び知育玩具において、前記カム遊び知育玩具は、さらに、上面視での中央部に向けて、その側方から前記上下軸を通すためのＵ字溝が形成された略四角板形状の部材であるユニットベースを備え、当該ユニットベースには複数の貫通孔が設けられ、前記筐体部の天板の穴部の周囲には、前記ユニットベースに設けられた貫通孔と嵌合する凸部が形成されていることが好ましい。
【００１５】
このカム遊び知育玩具において、前記ベースユニットは、さらに、その上面に垂直状に設けられたストッパが形成された突起付きユニットベースであり、前記軸部は、略六角柱形状を有し、その側面において、前記ストッパが嵌合されることで昇降だけする際に用いる第一空間、及び前記ストッパが所定空間を有して配置されることで昇降及び回転する際に用いる第二空間が形成された昇降回転軸であることが好ましい。
【００１６】
このカム遊び知育玩具において、前記ベースユニットは、その上面に支点となる柱部、及び当該支点に固定されて当該支点を中心に揺動するアーム部材が設けられた揺動ユニットベースであり、前記軸部は、略円柱形状を有しており、前記上下軸が上下に動作する際に、前記アーム部材を下方から突き上げるための突き上げ軸であることが好ましい。
【００１７】
このカム遊び知育玩具において、前記軸部は、前記上下軸の上側に直接接続された略六角柱形状を有した簡易軸であることが好ましい。
【００１８】
このカム遊び知育玩具において、前記カム部材は、外周に円弧形状の円弧外周面、又は突起形状の外周突起部を備え、当該円弧外周面は前記カム受けに当接した状態で前記カム受けを回転又は上下動しながら回転させ、当該外周突起部は、前記カム受けに当接すると前記カム受けを上下動又は回転しながら上下動させることが好ましい。
【００１９】
このカム遊び知育玩具において、前記カム受けは、前記カム部材の円弧外周面がカム受けの回転中心の下側で当接するときにゆっくりとした上下動をし、前記カム部材の円弧外周面が前記カム受けの回転中心の下側以外で当接するときにゆっくりと上下動しながら回転し、前記カム部材の外周突起部が前記カム受けの回転中心の下側で当接するときに細かく上下動をし、前記カム部材の外周突起部が前記カム受けの回転中心の下側以外で当接するときには回転しながら上下動することが好ましい。
【００２０】
このカム遊び知育玩具において、前記筐体部の前記ハンドル側の側面には、さらに、前記カムシャフトの回転の減速時に使用される複数の雌ネジ部が形成され、前記カム遊び知育玩具は、さらに、丸ベルトを巻回するためにその回転方向に沿って形成された複数の丸ベルト用溝部を有する略円柱形状の出力プーリと、丸ベルトを巻回するために回転方向に沿って形成された複数の回転径の異なる丸ベルト用溝部を有する中間プーリと、丸ベルトを巻回するためにその回転方向に沿って形成された複数の回転径の異なる丸ベルト用溝部を有するプーリーとハンドルとが一体形成されたプーリ付きハンドルとを備え、前記カムシャフトの一端側には、前記穴部を通して、前記出力プーリが接続され、前記雌ネジ部には、軸受けとなる棒状の支持体を貫通させることで、前記中間プーリ又は前記プーリ付きハンドルが回動可能に軸支されることが好ましい。
【００２１】
このカム遊び知育玩具において、減速時には、前記出力プーリの丸ベルト用溝部の回転径は、前記プーリ付きハンドルの丸ベルト用溝部の回転径より大きくなるように丸ベルトが巻回されることが好ましい。
【００２２】
このカム遊び知育玩具において、減速時には、前記中間プーリの丸ベルト用溝部の回転径は、前記プーリ付きハンドルの丸ベルト用溝部の回転径より大きくなるよう丸ベルトが巻回され、且つ前記出力プーリの丸ベルト用溝部の回転径は、前記中間プーリの丸ベルト用溝部の回転径より大きくなるように丸ベルトが巻回されることが好ましい。
【００２３】
このカム遊び知育玩具において、前記カム遊び知育玩具は、さらに、回転中心に雌ネジの穴部が形成された六角ナットを備え、前記カム部材は、その穴部の内表面に雌ネジが形成され、前記カムシャフトの雄ネジに螺合されると共に、前記六角ナットと合わせて締め込むことで、前記カムシャフトの自由な位置に締結可能となることが好ましい。
【００２４】
このカム遊び知育玩具において、前記カム部材は、上面視で中央部に形成された穴部の内表面に雌ネジを切らないで前記カムシャフトにそのまま挿通されると共に、前記六角ナットを両側から締め込むことで、前記カムシャフトの自由な位置に締結されることが好ましい。
【発明の効果】
【００２５】
本発明に係るカム遊び知育玩具は、筐体部と、筐体部内に横架された略棒形状の部材であるカムシャフトと、カムシャフトの一端側に連結されてカムシャフトを回転させるためのハンドルと、カムシャフトの他端側に連結されてカムシャフトを回転可能に保持するための軸ホルダ部と、カムシャフトに螺合又は貫通する穴部を有してカムシャフトに締結される様々な形状のカム部材と、カムシャフトの回転運動に連動するからくり機構部と、を備え、カムシャフトの外周面にはカム部材の穴部の内表面に形成された雌ネジと螺合するための雄ネジが形成される。この構成により、本願発明に係るカム遊び知育玩具は、より身近で子供が興味を持ちやすいからくり機構部を取り入れ、このカム遊び知育玩具で遊ぶ子供の更なる知育効果が期待できる。
【図面の簡単な説明】
【００２６】
【図１】（ａ）本発明の実施の形態に係るカム遊び知育玩具の正面側の斜視写真図、（ｂ）同上カム遊び知育玩具の背面側の斜視写真図、（ｃ）同上カム遊び知育玩具の天面側の斜視写真図、（ｄ）同上カム遊び知育玩具を分解した背面側の斜視写真図である。
【図２】（ａ）同上カム遊び知育玩具の上面図、（ｂ）同上カム遊び知育玩具の正面視からの説明図、（ｃ）同上カム遊び知育玩具の右側面図である。
【図３】（ａ）及び（ｂ）同上カム遊び知育玩具を分解した状態の一例を示す参考写真図である。
【図４】（ａ）及び（ｂ）同上カム遊び知育玩具に使用するユニットベースの参考写真図である。
【図５】（ａ）及び（ｂ）同上カム遊び知育玩具の参考写真図である。
【図６】（ａ）乃至（ｄ）同上ユニットベースの筐体部天面への取り付け方向を説明するための図である。
【図７】（ａ）及び（ｂ）同上カム遊び知育玩具に備わる軸部の取り付けを説明するための図、（ｃ）乃至（ｅ）同上カム遊び知育玩具のＡ−Ａ線断面図である。
【図８】（ａ）乃至（ｃ）同上ユニットベースの筐体部天面への取り付けを説明するための図、（ｄ）及び（ｅ）同上軸部の筐体部天面への取り付けを説明するための図である。
【図９】（ａ）乃至（ｃ）同上カム遊び知育玩具に備わるハンドルの減速時の状態を示す斜視写真図、（ｄ）同上ハンドルの取り付けに使用される樹脂製のブッシュを示す参考写真図である。
【図１０】（ａ）及び（ｃ）同上ハンドルの１／２減速時の状態を示す説明図である。
【図１１】（ａ）及び（ｃ）同上ハンドルの１／４減速時の状態を示す説明図である。
【図１２】（ａ）乃至（ｃ）同上カム遊び知育玩具に備わるカム部材の締結状態の違いを説明するためのの参考図である。
【図１３】（ａ）乃至（ｈ）同上カム部材の様々な形状、及び各カム部材のカム受けに対する動作を説明するための図である。
【図１４】（ａ）及び（ｂ）同上カム遊び知育玩具に備わる組合せ用のカム部材を説明するための参考写真図である。
【図１５】（ａ）乃至（ｃ）同上組合せ用のカム部材の締結状態の違いを説明するためのの参考図である。
【図１６】（ａ）乃至（ｇ）同上組合せ用のカム部材の様々な形状、及び各カム部材のカム受けに対する動作を説明するための図である。
【図１７】（ａ）同上組合せ用のカム部材を使用した場合のカム遊び知育玩具の正面側の斜視写真図、（ｂ）同上カム遊び知育玩具の背面側の斜視写真図である。
【発明を実施するための形態】
【００２７】
本発明の実施の形態に係るカム遊び知育玩具について図面を参照して説明する。図１は、主として木材を用いて組み立てられたカム遊び知育玩具１の写真図を示している。このカム遊び知育玩具１は、子供の知育効果を図った知育玩具に、からくりに用いられるからくり機構部を組合せた木製の知育玩具である。ここでは、より身近で子供が興味を持ちやすいからくり機構部（具体的には車のエンジンバルブ開閉機構に用いられるカムシャフト）を組合せたものである。
【００２８】
本実施の形態に係るカム遊び知育玩具１のカムシャフトでは、色々な形状のカム部品から選んで組み替えることができ、さらに箱上のからくり機構部も自由に組み替えることができる。また、ハンドルの減速が可能となっており、より幅広い動きを作り出すことができ、箱上の船や魚たちも付け替えて遊ぶことができる。
【００２９】
なお、本実施の形態における知育玩具とは、略円筒形状のペグ棒を所定の穴部に挿し込む「ペグ挿し」と呼ばれるものや、ボルトとナットのおもちゃである「ネジまわしブロック」である。「ペグ挿し」では、子供が穴に棒を挿したり、ねじったりする動作をするために、手先、指先を思い通りに動かすための訓練になる。同時に、子供が手先を器用に動かしながら、物の仕組みを理解することにも繋がる。さらに、子供が穴にどのような向きで棒を挿せば挿さるのか、どの方向にネジを回せばネジが取れるのかなどを実際に体感しながら学ぶことができる。「ネジまわしブロック」では子供の手先の器用さや集中力を養うことができると共に、ねじ構造の理解などの効果が得られる。カム遊び知育玩具１では、木のネジを主に使用していることを特徴としているため、手先の器用さや集中力も同時に養える玩具になっている。
【００３０】
＜全体構造の説明＞
最初に、本実施の形態に係るカム遊び知育玩具１の構造に関して図１〜図５を参照しながら説明する。カム遊び知育玩具１は、木製であるために、子供でも怪我をすることなく人形やパーツの脱着が可能となり、動きやデザインの多様性を生み出すことが可能となる。なお、カム遊び知育玩具１の大きさは、例えば、正面視において、幅が４３ｃｍ、奥行き１３ｃｍ、高さ３３ｃｍ程度の大きさである。
【００３１】
カム遊び知育玩具１は、図１及び図２に示すように、筐体部２、カムシャフト３、ハンドル４、軸ホルダ部５、カム部材６、及びこの筐体部２の天面に設けられたからくり機構部７で構成されている。なお、以下の説明においては、図１（ａ）に示す筐体部２の半透視面側を正面として説明する。
【００３２】
筐体部２は、図１（ｃ）などに示すように、前面及び後面が開口された箱体であり、天板２１、右側面板２２、左側面板２３、及び底板２４の４つの板状部材が、その側面に形成された凹凸部（例えばアリ溝組と呼ばれる木組み）で締結されている。また、筐体部２の前面（一側面）には、アクリル板などの半透明な半透視面２５が設けられる。この半透視面２５により、カム遊び知育玩具１で遊ぶ子供が、筐体部２の内部（カムシャフト機構）の動きを半透視できる。
【００３３】
カムシャフト３は、図１（ｄ）に示すように、筐体部２の左右側面板２２，２３に形成された穴部２ａ，２ｂに横架された略棒形状の部材であり、長さは筐体部２内の左右幅と略同じとなっている。また、カムシャフト３の外周面にはネジ山が形成され、雄ネジ３ａとなっている。筐体部２の天板２１にはからくり機構部７が設けられ、このからくり機構部７は、カムシャフト３（すなわちハンドル４）の回転運動に連動する。
【００３４】
ハンドル４は、カムシャフト３の一端側に、右側面板２２に形成された穴部２ａを介して連結され、カムシャフト３を回転させるための部材となる。具体的には、ハンドル４は、図２や図５（ｂ）に示すように、取っ手部４ａと、円盤部材４ｂと、ネジ受け部４ｃとから構成される。ネジ受け部４ｃには内表面に雌ネジが切ってあるために、雄ネジ３ａであるカムシャフト３の一端側を容易に取り付け・取り外しすることが可能となっている。
【００３５】
軸ホルダ部５は、カムシャフト３の他端側に、左側面板２３に形成された穴部２ｂを介して連結され、カムシャフト３を回転可能に保持する。なお、通常であれば穴部２ａ，２ｂとハンドル４のネジ受け部４ｃ及び軸ホルダ部５との間には、図９（ｄ）に示すようなフランジ付き円筒形状の樹脂製のブッシュ８が一体に用いられている。これにより、ハンドル４及び軸ホルダ部５の回転時の摺動性をよりスムーズにしている。
【００３６】
カム部材６は、図５などに示すように、いわゆる車のエンジン機構のカムシャフトに一体化されている偏心カムのような部材であって、カムシャフト３に螺合又は貫通する穴部６ａを有してカムシャフト３に締結される様々な形状の部材となる。そして、当然にハンドル４の回転運動に連動して回転する。
【００３７】
筐体部２の天板２１には、図１（ｃ）に示すように、後述する上下棒が貫通する上面視で円形の複数（本実施の形態では３つ）の穴部２ｉ〜２ｋが左右方向に沿って形成されている。そして、筐体部２の底面２４には、図１（ｂ）に示すように、穴部２ｉ〜２ｋに対応する位置に、カム軸の組立時の目印となるマーキング部２６が形成（本実施の形態においては３か所）されている。このマーキング部２６により、後述するカム受け８１の回転中心線を確認することができる。
【００３８】
天板２１には、２か所において穴部２ｍが設けられ、ここに船体部１０の底面に設けられた凸状の木ダボを嵌合する。このことで、側面視からからくり機構部７を目隠しすることができ、子供には人形が動いているだけに見えて、からくり機構部７に対しての子供のより一層の興味を惹くことができる。
【００３９】
＜からくり機構部の説明＞
次に、カム遊び知育玩具１の天板２１に設けられるからくり機構部７の構造に関して図２〜図５などを参照しながら説明する。このからくり機構部７は、図５などに示すように、カム受け８１と、上下軸８２と、軸部８３とを備えている。
【００４０】
カム受け８１は、カム部材６の外周面が当接するときに回転、上下動、又は上下動しながら回転（回転しながら上下動）するように水平状に設けられた円盤状の部材である。上下軸８２は、カム受け８１の上面の回転中心に取り付けられて（螺合されて）、筐体部２の天面２１に形成された穴部２ｉ〜２ｋを貫通して上側に延びる柱状の部材である。軸部８３は、上下軸８２の上端側に一体接続（螺合）される多様な形状の部材である。また、軸部８３の上面には、ペグ棒９を着脱可能に取り付けるための円形の穴部（人形取り付けよう雌ネジ）が形成されている。ペグ棒９の上端には、様々な種類の魚、キリン、ウサギ、ペンギン、パンダやゾウなどの愛らしい様々な動物の顔などを模した人形ブロック８４が着脱可能に取り付けられる。
【００４１】
＜ユニットベースの説明＞
次に、カム遊び知育玩具１の天板２１に載置されるユニットベース１１に関して図４〜６などを参照しながら説明する。
【００４２】
本実施の形態に係るカム遊び知育玩具１は、３種類のユニットベース１１Ａ〜１１Ｃを有している。図４（ａ）に示すユニットベース１１Ａは、少なくとも、上面視での中央部に向けて、その側方から上下軸８２を通すためのＵ字溝１１ａが形成された略四角板形状の部材である。そして、軸部８３の下面がユニットベース１１上に載置される。
【００４３】
ユニットベース１１には複数の貫通孔１１ｂが設けられ、筐体部２の天板２１の穴部２ｉ〜２ｋの周囲には、ユニットベース１１に設けられた貫通孔１１ｂと嵌合する凸部２lが形成されている。そして、凸部２lと貫通孔１１ｂとが嵌合することでユニットベース１１を筐体部２の天面２１に固定できる。また、図２及び図６に示すように、筐体部２の天面２１及びユニットベース１１Ｃには磁石Ｍが埋め込まれてあり、これら磁石Ｍが互いに吸引することによりユニットベース１１Ｃの取り付け方向が図６（ａ），（ｂ）に示す２つに限定されることとなる。
【００４４】
図４（ｂ）に示すベースユニット１１Ｂは、ユニットベース１１Ａの構造に加えて、その上面に垂直状に設けられたストッパ１１ｃが形成されている。
【００４５】
図５（ａ）や図８（ａ）に示すベースユニット１１Ｃは、ユニットベース１１Ａの構造に加えて、その上面に支点となる柱部１１Ｃａ、及び支点に固定されて支点を中心に揺動するアーム部材１１Ｃｂが設けられた揺動ユニットベースである。この場合、図８（ｂ）に示すように、軸部８３は、略円柱形状を有しており、上下軸８２が上下に動作する際に、アーム部材１１Ｃｂを下方から突き上げるための突き上げ軸となる。
【００４６】
＜各種の軸部の説明＞
次に、カム遊び知育玩具１に係るからくり機構部７の軸部８３の構造に関して図３，図７，図８などを参照しながら説明する。
【００４７】
図３及び図７に示す軸部８３は、略六角柱形状を有している。この軸部８３は、その側面において、ユニットベースのストッパ１１ｃが嵌合されることで昇降だけする際に用いる第一空間８３ａ、及びストッパ１１ｃが所定空間を有して配置されることで昇降及び回転する際に用いる第二空間８３ｂが形成された昇降回転軸となる。
【００４８】
すなわち、図７（ｃ）に示すように、第二空間８３ｂにストッパ１１ｃを配置することで軸部８３が上下動したり左右方向に回転するキョロキョロ動作を実現する。また、図７（ｄ）に示すように、第一空間８３ａがストッパ１１ｃに嵌合することで軸部８３が上下動するだけになる。さらに、図７（ｅ）に示すように、ストッパ１１ｃのないユニットベース１１Ａを用いることで軸部８３の回転動作が実現可能となる。
【００４９】
その他、図８（ｄ），（ｅ）に示すように、軸部８３は、上下軸８２の上側に直接接続された略六角柱形状を有した簡易軸とすることもできる。この簡易軸の場合には、回転、上下動、キョロキョロなどの動作は可能であるが、ストッパ１１ｃがないために上下動にも依らず回転動作したり、キョロキョロ動作であるのに一方方向にのみ多く回転するなど精度がラフになる可能性がある。
【００５０】
＜減速時の説明＞
次に、カム遊び知育玩具１のハンドル４の減速時の操作に関して図９〜図１１を参照しながら説明する。
【００５１】
図９に示すように、筐体部２の右側面板２２には、さらに、カムシャフト３の回転の減速時に使用される穴部たる雌ネジ部２２ａ，２２ｂ（本実施の形態においては２か所）が形成されている。また、カム遊び知育玩具１は、さらに、出力プーリ１２、中間プーリ１３、及びプーリ付きハンドル１４を備えている。なお、この減速時には、ハンドル４を出力プーリ１２に付け替える必要性がある。
【００５２】
出力プーリ１２は、丸ベルトＢを巻回するためにその回転方向に沿って形成された複数の丸ベルト用溝部１２ａを有する略円柱形状のプーリである。中間プーリ１３は、丸ベルトＢを巻回するために回転方向に沿って形成された複数の回転径の異なる丸ベルト用溝部１３ａを有するプーリである。プーリ付きハンドル１４は、丸ベルトＢを巻回するためにその回転方向に沿って形成された複数の回転径の異なる丸ベルト用溝部１４ａを有するプーリーとハンドルとが一体形成されたものである。そして、図９や図１０に示すように、カムシャフト１１の一端側には、穴部２ａを通して、出力プーリ１２が接続される。また、筐体部２の右側面板２２の雌ネジ部２２ａ及び２２ｂには、軸受けとなる棒状の支持体１３ｂ，１４ｂを貫通させることで、中間プーリ１３又はプーリ付きハンドル１４が回動可能に軸支される。
【００５３】
次に、ハンドル４の１／２減速時の場合に関して説明する。この場合、図１０に示すように、出力プーリ１２の丸ベルト用溝部１２ａの回転径は、プーリ付きハンドル１４の丸ベルト用溝部１４ａの回転径より大きくなる（すなわち、約２倍）ように丸ベルトＢが巻回される。この構成により、丸ベルトＢを１つ用いてハンドル２回転に付き出力プーリ１回転となり、１／２減速を実現できる。
【００５４】
次に、ハンドル４の１／４減速時の場合に関して説明する。この場合、図１１に示すように、中間プーリ１３の丸ベルト用溝部１３ａの回転径は、プーリ付きハンドル１４の丸ベルト用溝部１４ａの回転径より大きくなる（すなわち、約２倍）よう丸ベルトＢが巻回される。また、出力プーリ１２の丸ベルト用溝部１２ａの回転径は、中間プーリ１３の丸ベルト用溝部１３ａの回転径より大きくなる（すなわち、約２倍）ように丸ベルトＢが巻回される。この構成により、丸ベルトＢを２つ用いてハンドル４回転に付き出力プーリ１回転となり、１／４減速を実現できる。
【００５５】
このように、カム遊び知育玩具１ではプーリー＆ベルト機構によりハンドル４の減速ができるため、カムの動きの幅をより広げることが可能である。なお、上述した１／２減速や１／４減速は例示であり、その他の回転径にすることでその他の比率の減速も実現可能であることは言うまでもない。
【００５６】
＜カム部材とカム受けの配置＞
次に、カム遊び知育玩具１のカムシャフト３に取り付けられる複数のカム部材６とカム受け８１との配置により生じるからくり機構部７のからくり動作の違いに関して図１２，図１３などを参照しながら説明する。図１２に示すように、カム部材６は、回転中心に雌ネジ６ｄを有した穴部が形成された六角ナット６ｂと締め合うことによりカムシャフト３の自由な位置に締結可能となっている。
【００５７】
図１３に示すように、カム部材６は、外周に円弧形状の円弧外周面、又は突起形状の外周突起部を備えた様々な形状を有する。基本的には、円弧外周面はカム受け８１に当接した状態でカム受け８１を回転させ、外周突起部は、カム受け８１に当接するとカム受け８１を上下動させる。
【００５８】
ここで、カム部材６とカム受け８１との配置の違いによる動作の違いが生じてくる。すなわち、カム受け８１は、図１２（ａ）に示すようにカム部材６の円弧外周面がカム受け８１の回転中心の下側で当接するときにゆっくりとした上下動をし、図１２（ｂ）に示すようにカム部材６の円弧外周面がカム受け８１の回転中心の下側以外で当接するときにゆっくりと上下動しながら回転する。すなわち、カム受け８１を回転させたい場合には、カム部材６をカム受け８１の回転中心の下側よりずらす（オフセットする）必要性がある。
【００５９】
また、図１２（ｃ）に示すように２つの偏心したカム部材６の偏心側の位相を１８０度異なる方向に、且つカム受け８１の回転中心に対称に配置されることでカム受け８１の回転方向が交互に行ったり来たりするキョロキョロ動作を実現することができる。
【００６０】
図示していないが、カム部材６の外周突起部がカム受け８１の回転中心の下側で当接するときに細かく上下動をし、カム部材６の外周突起部がカム受け８１の回転中心の下側以外で当接するときにはゆっくりと回転しながら上下動する。この構成により、カム遊び知育玩具１では、ペグ棒９の上端に取り付けされた人形ブロック８４の魚や動物の顔が、回転したり、上下動したり、揺動したり、回転しながら上下動したりするからくり機能を実現している。この人形ブロック８４の動作は非常に愛嬌があり、カム遊び知育玩具１で遊ぶ子供の興味を惹くことができ、更なる知育効果を図ることができる。なお、ここで用いる「揺動」とは、上下軸８２の上下動を、からくり機構部７で人形ブロック８４が揺れながら動くことへ動作変換することを意味している。
【００６１】
なお、図１３には、異なる形状の各カム部材６に対応して実現できる図１２の動きの詳細を記載した。ここでのＭＡＸ上昇ライン及びＭＡＸ下降ラインは、カム部材６の回転に伴って変動するカム受け８１の最大上昇ライン及び最大下降ラインを示している。
【００６２】
＜組合せカム部材の説明＞
次に、組合せカムと呼ばれるカム部材６に関して図１４〜図１６を参照しながら説明する。図１４に示すように、組合せカムのカム部材６は、上面視で中央部に形成された穴部の内表面に雌ネジを切らないでカムシャフト３にそのまま挿通されると共に、六角ナット６ｂを両側から締め込むことで、カムシャフト３の自由な位置に締結される。具体的には、図１５に示すように、カム部材６を数枚、円柱形状のスペーサ６ｃなども組合せて両側から六角ナット６ｂで締め込むことでカムシャフト３に固定される。そして、上述した減速と合わせて使うことでより多様な動きを創り出すことができる。図１５（ａ）はカム部材６を３枚と六角ナット６ｂを２枚使用して上下動又は揺動する場合、図１５（ｂ）はカム部材６を２枚と六角ナット６ｂを２枚使用して回転する場合、図１５（ｃ）はカム部材６を２枚とスペーサ７ｂを２枚と六角ナット６ｂを２枚使用してキョロキョロ動作をする場合を示す。
【００６３】
また、図１６において、組合せカムの形状と各カム部材６の使用時のカム受け８１の動作を説明している。同図に示すように、組合せカムとして使用できるカム部材６には突起状のものや、１／４回転、半回転、３／４回転時に使用できるものがある。
【００６４】
本実施の形態に係るカム遊び知育玩具１では、これらの多種多様な組合せカム部材６を用いることで、子供が自分の頭の中で想像した動きをカム部材６とカムシャフト３とを組合せることで創作することが可能となる。特に、ハンドル４の減速時においては、カムシャフト３を通常よりゆっくりと回転できるために、子供が思い描いた動きを実現し易く、様々な動物の動きを自ら創り出すことができる。
【００６５】
以上の説明により、本実施の形態に係るカム遊び知育玩具１は、子供の知育効果を図った知育玩具に、からくりおもちゃに用いられるからくり機構部７を組合せた知育玩具である。このカム遊び知育玩具１は、前面及び後面が開口された箱体である筐体部２と、筐体部２の左右側面板２２，２３に形成された穴部２ａ，２ｂに横架された略棒形状の部材であるカムシャフト３と、カムシャフト３の一端側に穴部２ａを通して連結されてカムシャフト３を回転させるためのハンドル４と、カムシャフト３の他端側に穴部２ｂを介して連結されてカムシャフト３を回転可能に保持するための軸ホルダ部５と、カムシャフト３に螺合又は貫通する穴部を有してカムシャフト３に締結される様々な形状のカム部材６と、カムシャフト３の回転運動に連動するからくり機構部７と、を備え、カムシャフト３の外周面には、カム部材６の穴部の内表面に形成された雌ネジ６ｄと螺合するための雄ネジ３ａが形成されている。
【００６６】
この構成により、カム遊び知育玩具１は、より身近で子供が興味を持ちやすいからくり機構部（エンジン機構）を組合せ、その結果、子供の更なる知能的発達を図ることができる。また、カム遊び知育玩具１は、なぜ魚は回るのか、なぜナット同士を合わせると固定されるのか、等「なぜ」がたくさんある玩具であるため、子供の考える力を養う効果も奏する。
【００６７】
具体的には、カム遊び知育玩具１は、からくり機構部を知育玩具（ペグ挿しやネジまわし）に取り入れているため、子供が興味を持ちやすく、メカニカルを学びながら、知育としての効果をも得られる。さらに、子供が普段、目にすることができないカムシャフト機構やプーリーを、玩具を遊ぶ中で動作する機能を実際に見ることができ、メカニカルを身近に感じて、より一層メカニカルへの関心が高まり、物の仕組みの理解力を高める効果をも奏する。また、カムシャフト機構やプーリーだけでなく、実際の機械に使われている「ダブルナット」、「ストッパ」、「ポカよけ」、「位置決め」など様々な実践的要素が組み込まれており、将来的なメカニカルエンジニアの育成にも貢献できる。
【００６８】
カム遊び知育玩具１は、ネジ回しで子供の手先の器用さや集中力を上げると共に、ハンドル４の動きに連動して人形ブロック８４が踊りだすためにワーキングメモリーを鍛えるという相乗効果も生じる。
【００６９】
すなわち、カム遊び知育玩具１は、普段は目にすることが難しい車の内部機構を多く取り入れており、機構を組み替えたり動きを見ることによって、機械技術を身近に体験することができる。また、子供が遊ぶ知育玩具として、もっと機械を身近に感じ、学べる要素を多く取り入れて、人々の生活空間へ取り入れることができる知育玩具（機械技術×知育玩具×インテリアの３要素を掛け合わせた玩具）となる。
【００７０】
なお、本発明は、上記実施の形態の構成に限られず、発明の趣旨を変更しない範囲で種々の変形が可能である。例えば、上記実施の形態においてはカム遊び知育玩具１を子供用の知育玩具として説明したが、インテリアとして長く生活空間へ取り入れられるデザインを有しているため、大人の鑑賞用おもちゃやインテリアなどにも応用できる。
【符号の説明】
【００７１】
１  カム遊び知育玩具
２  筐体部
２ａ，２ｂ，２ｉ，２ｊ，２ｋ  穴部
２l  凸部
３  カムシャフト
３ａ  雄ネジ
４  ハンドル
５  軸ホルダ部
６  カム部材
６ａ  穴部
６ｂ  六角ナット
６ｃ  スペーサー
６ｄ  雌ネジ
７  からくり機構部
９  ペグ棒
１０  船体部
１１，１１Ａ，１１Ｂ，１１Ｃ  ユニットベース
１１ａ  Ｕ字溝
１１ｂ  貫通孔
１１ｃ  ストッパ
１２  出力プーリ
１３  中間プーリ
１４  プーリー付ハンドル
２１  天板
２２  右側面板
２２ａ，２２ｂ  雌ネジ部
２３  左側面板
２４  底板
２５  半透視面
２６  マーキング部
８１  カム受け
８２  上下軸
８３  軸部
８３ａ  第一空間
８３ｂ  第二空間
８４  人形ブロック
Ｍ  磁石
Ｂ  丸ベルト
【図１】
2020065573.tif 000003
【図２】
2020065573.tif 000004
【図３】
2020065573.tif 000005
【図４】
2020065573.tif 000006
【図５】
2020065573.tif 000007
【図６】
2020065573.tif 000008
【図７】
2020065573.tif 000009
【図８】
2020065573.tif 000010
【図９】
2020065573.tif 000011
【図１０】
2020065573.tif 000012
【図１１】
2020065573.tif 000013
【図１２】
2020065573.tif 000014
【図１３】
2020065573.tif 000015
【図１４】
2020065573.tif 000016
【図１５】
2020065573.tif 000017
【図１６】
2020065573.tif 000018
【図１７】
2020065573.tif 000019
【手続補正書】
【提出日】平成31年3月26日(2019.3.26)
【手続補正１】
【補正対象書類名】特許請求の範囲
【補正対象項目名】全文
【補正方法】変更
【補正の内容】
【特許請求の範囲】
【請求項１】
子供の知育効果を図った知育玩具に、からくりに用いられるからくり機構部を組合せたカム遊び知育玩具であって、
前面及び後面が開口された箱体である筐体部と、
前記筐体部の左右側面板に形成された穴部に横架された略棒形状の部材であるカムシャフトと、
前記カムシャフトの一端側に、前記穴部を通して連結され、当該カムシャフトを回転させるためのハンドルと、
前記カムシャフトの他端側に、前記穴部を介して連結され、前記カムシャフトを回転可能に保持するための軸ホルダ部と、
前記カムシャフトに螺合又は貫通する穴部を有して前記カムシャフトに締結される様々な形状のカム部材と、
前記カムシャフトの回転運動に連動するからくり機構部と、を備え、
前記カムシャフトの外周面には、前記カム部材の穴部の内表面に形成された雌ネジと螺合するための雄ネジが形成され、
前記筐体部の天面には、複数の穴部が形成され、
前記からくり機構部は、
前記カム部材の外周面が当接するときに回転、上下動、又は上下動しながら回転するように水平状に設けられた円盤状のカム受けと、
前記カム受けの上面の回転中心に取り付けられて、当該穴部を貫通して上側に延びる柱状の上下軸と、
前記上下軸の上端側に一体接続される多様な形状の軸部と、を備え、
前記軸部の上面には、ペグ棒を着脱可能に挿し込むための円形の穴部が形成され、
前記カム遊び知育玩具は、さらに、
上面視での中央部に向けて、その側方から前記上下軸を通すためのＵ字溝が形成された略四角板形状の部材であるユニットベースを備え、
当該ユニットベースには複数の貫通孔が設けられ、
前記筐体部の天板の穴部の周囲には、前記ユニットベースに設けられた貫通孔と嵌合する凸部が形成されている、ことを特徴とするカム遊び知育玩具。
【請求項２】
前記カム遊び知育玩具は、木製であり、
前記筐体部の一側面には、半透明な半透視面が設けられ、
前記ペグ棒の上端は、様々な種類の魚、愛らしい様々な動物の顔を模した人形ブロックが着脱可能に取り付けれられる、ことを特徴とする請求項１に記載のカム遊び知育玩具。
【請求項３】
前記ベースユニットは、さらに、その上面に垂直状に設けられたストッパが形成された突起付きユニットベースであり、
前記軸部は、略六角柱形状を有し、その側面において、前記ストッパが嵌合されることで昇降だけする際に用いる第一空間、及び前記ストッパが所定空間を有して配置されることで昇降及び回転する際に用いる第二空間が形成された昇降回転軸である、ことを特徴とする請求項１記載のカム遊び知育玩具。
【請求項４】
前記ベースユニットは、その上面に支点となる柱部、及び当該支点に固定されて当該支点を中心に揺動するアーム部材が設けられた揺動ユニットベースであり、
前記軸部は、略円柱形状を有しており、前記上下軸が上下に動作する際に、前記アーム部材を下方から突き上げるための突き上げ軸である、ことを特徴とする請求項１記載のカム遊び知育玩具。
【請求項５】
前記軸部は、前記上下軸の上側に直接接続された略六角柱形状を有した簡易軸である、ことを特徴とする請求項１記載のカム遊び知育玩具。
【請求項６】
前記カム部材は、外周に円弧形状の円弧外周面、又は突起形状の外周突起部を備え、当該円弧外周面は前記カム受けに当接した状態で前記カム受けを回転又は上下動しながら回転させ、当該外周突起部は、前記カム受けに当接すると前記カム受けを上下動又は回転しながら上下動させる、ことを特徴とする請求項１乃至５のいずれか一項に記載のカム遊び知育玩具。
【請求項７】
前記カム受けは、前記カム部材の円弧外周面がカム受けの回転中心の下側で当接するときにゆっくりとした上下動をし、前記カム部材の円弧外周面が前記カム受けの回転中心の下側以外で当接するときにゆっくりと上下動しながら回転し、
前記カム部材の外周突起部が前記カム受けの回転中心の下側で当接するときに細かく上下動をし、前記カム部材の外周突起部が前記カム受けの回転中心の下側以外で当接するときには回転しながら上下動する、ことを特徴とする請求項１乃至５のいずれか一項に記載のカム遊び知育玩具。
【請求項８】
前記筐体部の前記ハンドル側の側面には、さらに、前記カムシャフトの回転の減速時に使用される複数の雌ネジ部が形成され、
前記カム遊び知育玩具は、さらに、
丸ベルトを巻回するためにその回転方向に沿って形成された複数の丸ベルト用溝部を有する略円柱形状の出力プーリと、
丸ベルトを巻回するために回転方向に沿って形成された複数の回転径の異なる丸ベルト用溝部を有する中間プーリと、
丸ベルトを巻回するためにその回転方向に沿って形成された複数の回転径の異なる丸ベルト用溝部を有するプーリーとハンドルとが一体形成されたプーリ付きハンドルとを備え、
前記カムシャフトの一端側には、前記穴部を通して、前記出力プーリが接続され、
前記雌ネジ部には、軸受けとなる棒状の支持体を貫通させることで、前記中間プーリ又は前記プーリ付きハンドルが回動可能に軸支される、ことを特徴とする請求項１乃至７のいずれか一項に記載のカム遊び知育玩具。
【請求項９】
減速時には、前記出力プーリの丸ベルト用溝部の回転径は、前記プーリ付きハンドルの丸ベルト用溝部の回転径より大きくなるように丸ベルトが巻回される、ことを特徴とする請求項８に記載のカム遊び知育玩具。
【請求項１０】
減速時には、前記中間プーリの丸ベルト用溝部の回転径は、前記プーリ付きハンドルの丸ベルト用溝部の回転径より大きくなるよう丸ベルトが巻回され、且つ前記出力プーリの丸ベルト用溝部の回転径は、前記中間プーリの丸ベルト用溝部の回転径より大きくなるように丸ベルトが巻回される、ことを特徴とする請求項８に記載のカム遊び知育玩具。
【請求項１１】
前記カム遊び知育玩具は、さらに、回転中心に雌ネジの穴部が形成された六角ナットを備え、
前記カム部材は、その穴部の内表面に雌ネジが形成され、前記カムシャフトの雄ネジに螺合されると共に、前記六角ナットと合わせて締め込むことで、前記カムシャフトの自由な位置に締結可能となる、ことを特徴とする請求項１乃至１０のいずれか一項に記載のカム遊び知育玩具。
【請求項１２】
前記カム遊び知育玩具は、さらに、回転中心に雌ネジの穴部が形成された六角ナットを備え、
前記カム部材は、上面視で中央部に形成された穴部の内表面に雌ネジを切らないで前記カムシャフトにそのまま挿通されると共に、前記六角ナットを両側から締め込むことで、前記カムシャフトの自由な位置に締結される、ことを特徴とする請求項１乃至１０のいずれか一項に記載のカム遊び知育玩具。
【手続補正２】
【補正対象書類名】明細書
【補正対象項目名】００１１
【補正方法】変更
【補正の内容】
【００１１】
上記課題を解決するため、本発明は、子供の知育効果を図った知育玩具に、からくりに用いられるからくり機構部を組合せたカム遊び知育玩具であって、前面及び後面が開口された箱体である筐体部と、前記筐体部の左右側面板に形成された穴部に横架された略棒形状の部材であるカムシャフトと、前記カムシャフトの一端側に、前記穴部を通して連結され、当該カムシャフトを回転させるためのハンドルと、前記カムシャフトの他端側に、前記穴部を介して連結され、前記カムシャフトを回転可能に保持するための軸ホルダ部と、前記カムシャフトに螺合又は貫通する穴部を有して前記カムシャフトに締結される様々な形状のカム部材と、前記カムシャフトの回転運動に連動するからくり機構部と、を備え、前記カムシャフトの外周面には、前記カム部材の穴部の内表面に形成された雌ネジと螺合するための雄ネジが形成され、前記筐体部の天面には、複数の穴部が形成され、前記からくり機構部は、前記カム部材の外周面が当接するときに回転、上下動、又は上下動しながら回転するように水平状に設けられた円盤状のカム受けと、前記カム受けの上面の回転中心に取り付けられて、当該穴部を貫通して上側に延びる柱状の上下軸と、前記上下軸の上端側に一体接続される多様な形状の軸部と、を備え、前記軸部の上面には、ペグ棒を着脱可能に挿し込むための円形の穴部が形成され、前記カム遊び知育玩具は、さらに、上面視での中央部に向けて、その側方から前記上下軸を通すためのＵ字溝が形成された略四角板形状の部材であるユニットベースを備え、当該ユニットベースには複数の貫通孔が設けられ、前記筐体部の天板の穴部の周囲には、前記ユニットベースに設けられた貫通孔と嵌合する凸部が形成されていることを特徴とするカム遊び知育玩具である。
【手続補正３】
【補正対象書類名】明細書
【補正対象項目名】００１２
【補正方法】削除
【補正の内容】
【手続補正４】
【補正対象書類名】明細書
【補正対象項目名】００１４
【補正方法】削除
【補正の内容】
【手続補正５】
【補正対象書類名】明細書
【補正対象項目名】００２４
【補正方法】変更
【補正の内容】
【００２４】
このカム遊び知育玩具において、前記カム遊び知育玩具は、さらに、回転中心に雌ネジの穴部が形成された六角ナットを備え、前記カム部材は、上面視で中央部に形成された穴部の内表面に雌ネジを切らないで前記カムシャフトにそのまま挿通されると共に、前記六角ナットを両側から締め込むことで、前記カムシャフトの自由な位置に締結されることが好ましい。